(57)【要約】【課題】車両におけるグリル構造体の意匠性を損ねるおそれの少ないカメラ取り付け構造を提供する。【解決手段】カメラ１４は、第１の支持体１５と合成樹脂製の第２の支持体１６との間に収容されている。カメラ１４及び第２の支持体１６は、ラジエータグリル１１に設けられた取り付け用開口２０に挿入されている。第１の支持体１５は、ネジ１７，１８によってラジエータグリル１１の経線状部１３に締め付け固定されている。第１の支持体１５には第２の支持体１６がネジ１９によって締め付け結合されている。第１の支持体１５及び第２の支持体１６は、ラジエータグリル１１に対して不動状態に取り付けられている。【選択図】  図４
2005271715.tif 000002
【特許請求の範囲】
【請求項１】
第１の支持体をグリル構造体に止着すると共に、第２の支持体を前記第１の支持体に止着し、前記第１の支持体と前記第２の支持体とによって前記グリル構造体を挟み込むと共に、前記第１の支持体と前記第２の支持体との少なくとも一方によってカメラを支持した車両におけるカメラ取り付け構造。
【請求項２】
前記グリル構造体に前記カメラを貫通して配設するための取り付け用開口を設け、前記グリル構造体における前記取り付け用開口のカット縁を前記第２の支持体によって前記グリル構造体の前側から被覆した請求項１に記載の車両におけるカメラ取り付け構造。
【請求項３】
前記第１の支持体を前記グリル構造体にネジ止めし、前記第１の支持体と第２の支持体とを掛け止め機構によって連結した請求項１及び請求項２のいずれか１項に記載の車両におけるカメラ取り付け構造。
【請求項４】
前記第１の支持体は、前記グリル構造体の背面側にネジ止めされる請求項３に記載の車両におけるカメラ取り付け構造。
【発明の詳細な説明】
【技術分野】
【０００１】
本発明は、車両におけるラジエータグリル等のグリル構造体にカメラを取り付ける構造に関するものである。
【背景技術】
【０００２】
この種のカメラ取り付け構造が特許文献１に開示されている。特許文献１に開示の構造では、ラジエータグリルに取り付けられるカメラが使用位置と不使用位置とに駆動装置によって切り換え配置可能となっている。カメラが不使用位置にあるときには、カメラを被覆するエンブレムがカメラを収容するケースの開口を閉じ、カメラが使用位置にあるときには、エンブレムがケースの開口を開放するようになっている。エンブレムがケースの開口を開放しているときには、カメラ視線がケースの開口を通して車両前方を向く。
【特許文献１】特開２００３−１５９９９７号公報
【発明の開示】
【発明が解決しようとする課題】
【０００３】
一般的には、ラジエータグリルに取り付け用開口を開け、この取り付け用開口にカメラを設置する構造が採用されるが、ラジエータグリルにおける取り付け用開口のカット縁は、ラジエータグリルの意匠性を損ねる。そこで、ラジエータグリルにおける取り付け用開口のカット縁を隠すためのプロテクタをラジエータグリルにネジ止めして配設することも考えられる。しかし、ラジエータグリルの表側に配設されるプロテクタをネジ止めする場合、ラジエータグリルの意匠性を損ねないネジ止め箇所の選択が難しい。
【０００４】
本発明は、ラジエータグリルのようなグリル構造体の意匠性を損ねるおそれの少ないカメラ取り付け構造を提供することを目的とする。
【課題を解決するための手段】
【０００５】
そのために請求項１の発明では、第１の支持体をグリル構造体に止着すると共に、第２の支持体を前記第１の支持体に止着し、前記第１の支持体と前記第２の支持体とによって前記グリル構造体を挟み込むと共に、前記第１の支持体と前記第２の支持体との少なくとも一方によってカメラを支持した。
【０００６】
カメラ周りにはグリル構造体の意匠性を損ねる部分が生じやすい。第１の支持体と第２の支持体とによってグリル構造体を挟み込むので、グリル構造体の前側に配設される第１の支持体又は第２の支持体によって、グリル構造体の前側におけるカメラ周りを被覆することができる。第１の支持体と前記第２の支持体とによって前記グリル構造体を挟み込むとは、第１及び第２の支持体がグリル構造体に接触して、第１の支持体と前記第２の支持体との間にグリル構造体を挟み込む状態のことを言う。
【０００７】
請求項２の発明では、請求項１において、前記グリル構造体に前記カメラを貫通して配設するための取り付け用開口を設け、前記グリル構造体における前記取り付け用開口のカット縁を前記第２の支持体によって前記グリル構造体の前側から被覆した。
【０００８】
グリル構造体の前側における取り付け用開口のカット縁を被覆する第２の支持体は、第１の支持体に止着されるので、第１の支持体に対する第２の支持体の止着箇所がラジエータグリルの意匠性を損ねることはない。
【０００９】
請求項３の発明では、請求項１及び請求項２のいずれか１項において、前記第１の支持体を前記グリル構造体にネジ止めし、前記第１の支持体と第２の支持体とを掛け止め機構によって連結した。
【００１０】
掛け止め機構は、第１の支持体に第２の支持体を連結する機構として好適である。
請求項４の発明では、請求項３において、前記グリル構造体の背面側に前記第１の支持体をネジ止めした。
【００１１】
グリル構造体の背面側は、第１の支持体のネジ止め箇所として好適である。
【発明の効果】
【００１２】
本発明のカメラ取り付け構造は、ラジエータグリルのようなグリル構造体の意匠性を損ねるおそれが少ないという優れた効果を奏する。
【発明を実施するための最良の形態】
【００１３】
以下、本発明を具体化した第１の実施形態を図１〜図４に基づいて説明する。
図１（ａ）に示すように、ラジエータグリル１１の中央部にはカメラ１４が取り付けられている。図１（ｂ），（ｃ）に示すように、カメラ１４は、矢印Ｒ，Ｌの方向に視線を有する。複数の緯線状部１２と複数の経線状部１３とを交差させて形成されているラジエータグリル１１は、緯基調のグリル構造体である。
【００１４】
図４（ａ）に示すように、カメラ１４は、合成樹脂製の第１の支持体１５と合成樹脂製の第２の支持体１６との間に収容されている。第２の支持体１６にはボス１６１が形成されており、ボス１６１には第１の支持体１５がネジ１９によって締め付け結合されている。第２の支持体１６には収容凹部１６２が形成されており、カメラ１４は、収容凹部１６２の底面上に載置されている。
【００１５】
ラジエータグリル１１の中央部の緯線状部１２と経線状部１３との交差部付近には取り付け用開口２０が貫設されている。カメラ１４及び第２の支持体１６は、取り付け用開口２０に挿入されている。経線状部１３にはボス１３１，１３２が形成されており、第１の支持体１５は、ネジ１７，１８によってボス１３１，１３２に締め付け固定されている。つまり、第１の支持体１５は、ネジ１７，１８の締め付けによってラジエータグリル１１に固定されている。
【００１６】
第２の支持体１６は、ボス１６１に螺着されたネジ１９の締め付けによって第１の支持体１５に止着されている。第１の支持体１５及び第２の支持体１６は、ラジエータグリル１１に対して不動状態に取り付けられている。
【００１７】
カメラ１４の背面には金属製の補助板１０が止着されている。ネジ１９は、第１の支持体１５の上下に延びる基板２１及び補助板１０を貫通してボス１６１に螺着されており、補助板１０は、ネジ１９の締め付けによってボス１６１と基板２１との間で締め付け固定されている。つまり、カメラ１４は、補助板１０を介して第１の支持体１５と第２の支持体１６とによって支持されている。
【００１８】
図２に示すように、第１の支持体１５は、上下に延びる基板２１、基板２１の上縁に接続して一体形成された取り付け片２８、基板２１の下縁に接続して一体形成された取り付け片２９、及び基板２１の前面に接続して一体形成された左右一対の接合突部２２，２３を備えている。
【００１９】
図４（ａ）に示すように、取り付け片２８にはネジ通し孔２８１が貫設されており、取り付け片２９にはネジ通し孔２９１が貫設されている。ネジ１７は、ネジ通し孔２８１を通って経線状部１３のボス１３１に螺着されており、ネジ１８は、ネジ通し孔２９１を通って経線状部１３のボス１３２に螺着されている。
【００２０】
図２に示すように、接合突部２２，２３の基端の上部には掛け止め壁２４，２５が基板２１と平行となるように形成されており、掛け止め壁２４，２５には掛け止め孔２４１，２５１が掛け止め壁２４，２５の前後方向に貫通するように形成されている。基板２１の下部の左右には掛け止め孔２６，２７が基板２１の前後方向に貫通するように形成されている。
【００２１】
第２の支持体１６は、収容凹部１６２を有する基枠３０と、基枠３０の上縁に接続して一体形成されたＵ字形状のフランジ３１とを備えている。フランジ３１は、左右一対の接合片３２，３３と、両接合片３２，３３を繋ぐカバー片３４とからなる。接合片３２，３３の後端には掛け止め爪３２１，３３１が一体形成されており、基枠３０の側壁の後縁には掛け止め爪３０１，３０２が一体形成されている。掛け止め爪３２１，３３１は、上を向いており、掛け止め爪３０１，３０２は、側方を向いている。掛け止め爪３２１，３３１は、掛け止め孔２４１，２５１に差し込んで掛け止め壁２４，２５の背面に掛け止められており、掛け止め爪３０１，３０２は、掛け止め孔２６，２７に差し込んで基板２１の背面に掛け止められている。
【００２２】
図４（ｂ），（ｃ）に示すように、接合突部２２，２３の上面２２１，２３１は、緯線状部１２の下面１２１の面形状と同じにしてあり、接合片３２，３３の下面３２２，３３２は、緯線状部１２の上面１２２の面形状と同じにしてある。図４（ａ），（ｂ），（ｃ）及び図３（ａ）は、掛け止め爪３２１，３３１を掛け止め孔２４１，２５１に差し込むと共に、掛け止め爪３０１，３０２を掛け止め孔２６，２７に差し込んだ状態を示す。この状態では、接合突部２２，２３の上面２２１，２３１が緯線状部１２の下面１２１に接合し、接合片３２，３３の下面３２２，３３２が緯線状部１２の上面１２２に接合する。つまり、第１の支持体１５と第２の支持体１６とは、ラジエータグリル１１の緯線状部１２を挟み込んだ状態でカメラ１４を支持している。
【００２３】
図３（ｂ）は、掛け止め爪３２１，３３１と掛け止め壁２４，２５との掛け止め、及び掛け止め爪３０１，３０２と基板２１との掛け止めを行なう前の状態を示す。第１の支持体１５に対する第２の支持体１６の止着は、これらの掛け止めを行なった後に、ネジ１９をボス１６１にネジ止めすればよい。
【００２４】
第１の実施形態では以下の効果が得られる。
（１−１）取り付け用開口２０のカット縁２０１〔図３（ａ）及び図４（ａ）に図示〕の大部分は、緯線状部１２の上面１２２に生じている。そのため、カメラ１４、第１の支持体１５及び第２の支持体１６をラジエータグリル１１に取り付けていない状態では、ラジエータグリル１１の前側から見た場合には緯線状部１２の上面１２２に生じた取り付け用開口２０のカット縁２０１が見える。ラジエータグリル１１に形成した取り付け用開口２０のカット縁２０１がラジエータグリル１１の前側から見えると、ラジエータグリル１１の意匠性が損なわれる。
【００２５】
第２の支持体１６は、緯線状部１２の上面１２２に生じた取り付け用開口２０のカット縁２０１を前側から見えないように隠しており、取り付け用開口２０のカット縁２０１の視認によるラジエータグリル１１の意匠性の低下が第２の支持体１６の存在によって回避される。
【００２６】
ラジエータグリル１１の意匠性の低下回避に寄与する第２の支持体１６は、第１の支持体１５の背面側から第２の支持体１６に螺着されたネジ１９の締め付けによって第１の支持体１５に止着されている。第１の支持体１５に第２の支持体１６を止着するためのネジ止め機構（ネジ１９及びボス１６１）は、ラジエータグリル１１の背面側に隠れるので、第１の支持体１５に第２の支持体１６を止着するためのネジ止め機構がラジエータグリル１１の意匠性を損ねることはない。
【００２７】
又、第２の支持体１６は、掛け止め孔２４１，２５１に差し込まれた掛け止め爪３２１，３３１と掛け止め壁２４，２５との掛け止め、及び掛け止め孔２６，２７に差し込まれた掛け止め爪３０１，３０２と基板２１との掛け止めによって、第１の支持体１５に連結されている。これらの掛け止め機構は、ラジエータグリル１１の前側からは見えにくいので、第１の支持体１５に第２の支持体１６を固定するための掛け止め機構がラジエータグリル１１の意匠性を損ねることはない。
【００２８】
しかも、第１の支持体１５と第２の支持体１６とは、緯線状部１２に接触して緯線状部１２を挟み込んでいるので、第１の支持体１５及び第２の支持体１６が緯線状部１２に安定した状態で固定されることになる。そのため、第１の支持体１５及び第２の支持体１６をラジエータグリル１１に固定するためのネジ止め機構の採用数が少なくて済む。ネジ止め機構は、意匠性を重視するラジエータグリル１１では意匠性低下の原因になり易いが、ネジ止め機構の採用数の低減は、ラジエータグリル１１における意匠性低下の回避に有利である。
【００２９】
（１−２）掛け止め爪３２１，３３１を掛け止め孔２４１，２５１に差し入れると共に、掛け止め爪３０１，３０２を掛け止め孔２６，２７に差し入れるという簡単な操作だけで、第１の支持体１５と第２の支持体１６とが掛け止め連結される。このような掛け止め機構は、第１の支持体１５に第２の支持体１６を連結する機構として好適である。
【００３０】
次に、図５〜図８の第２の実施形態を説明する。
図５に示すように、ラジエータグリル３５の中央部にはカメラ１４が取り付けられている。複数の緯線状部３６と複数の経線状部３７Ａ，３７Ｂとを交差させて形成されているラジエータグリル３５は、経基調のグリル構造体である。
【００３１】
図８（ａ）に示すように、カメラ１４は、合成樹脂製の第１の支持体３８によって支持されている。ラジエータグリル３５の中央部の経線状部３７Ａ，３７Ｂには取り付け用開口４０が貫設されている。カメラ１４は、取り付け用開口４０に挿入されている。経線状部３７Ａにはボス３７１が形成されており、第１の支持体３８は、ネジ４１によってボス３７１に締め付け固定されている。つまり、第１の支持体３８は、ネジ４１の締め付けによってラジエータグリル１１に固定されている。図８（ｂ），（ｃ）に示すように、第１の支持体３８には第２の支持体３９がボス５７，５８に螺着されたネジ４２，４３の締め付けによって止着されている。第１の支持体３８及び第２の支持体３９は、ラジエータグリル３５に対して不動状態に取り付けられている。
【００３２】
図８（ａ）に示すように、カメラ１４の背面には金属製の補助板４４が止着されている。補助板４４は、ネジ４５の締め付けによって第１の支持体３８に固定されている。つまり、カメラ１４は、補助板４４を介して第１の支持体３８に支持されている。
【００３３】
図６に示すように、第１の支持体３８は、上下に延びる基板４６、基板４６の上縁に接続して一体形成された取り付け片４７、基板４６の上縁に接続して一体形成された掛け止め壁４８、及び基板４６の下縁に接続して一体形成された接合片４９とを備えている。取り付け片４７にはネジ通し孔４７１及び掛け止め孔４７２が貫設されている。掛け止め壁４８には掛け止め孔４８１が貫設されている。接合片４９には一対のネジ通し孔４９１，４９２が貫設されている。基板４６には一対の掛け止め孔４６１，４６２が貫設されている。掛け止め孔４６１，４６２の直上には傾斜した接合面４６３，４６４が形成されている。
【００３４】
第２の支持体３９は、窓５０１を有する基枠５０を備えている。基枠５０の側壁５１，５２の後縁には掛け止め爪５１１，５２１及び掛け止め爪５１２，５２２が一体形成されている。基枠５０の上縁には一対の位置規制片５３，５４が一体形成されており、基枠５０の下縁には一対の位置規制片５５，５６が一体形成されている。側壁５１，５２にはボス５７，５８が形成されている。
【００３５】
図８（ｂ），（ｃ）に示すように、掛け止め爪５１１は、掛け止め孔４８１に差し込んで掛け止め壁４８の背面に掛け止められており、掛け止め爪５２１は、掛け止め孔４７２に差し込んで取り付け片４７の背面に掛け止められている。掛け止め爪５１２，５２２は、掛け止め孔４６１，４６２に差し込んで基板４６の背面に掛け止められている。第２の支持体３９の側壁５１，５２の後縁は、接合面４６３，４６４に接合している。
【００３６】
図７（ａ）に示すように、位置規制片５３，５４の内縁５３１，５４１の形状は、経線状部３７Ａの外面の形状に合わせてある。図７（ｂ）に示すように、位置規制片５５，５６の内縁５５１，５６１の形状は、経線状部３７Ａの外面の形状に合わせてある。図８（ａ），（ｂ），（ｃ）及び図７（ａ），（ｂ）は、掛け止め爪５１１，５２１を掛け止め孔４８１，４７２に差し込むと共に、掛け止め爪５１２，５２２を掛け止め孔４６１，４６２に差し込んだ状態を示す。この状態では、位置規制片５３，５４，５５，５６の内縁５３１，５４１，５５１，５６１が経線状部３７Ａの外面に接合すると共に、接合片４９が経線状部３７Ａの後縁に接触する。つまり、第１の支持体３８と第２の支持体３９とは、ラジエータグリル３５の経線状部３７Ａを挟み込んだ状態でカメラ１４を支持している。
【００３７】
図７（ｃ）は、掛け止め爪５１１と掛け止め壁４８との掛け止め、掛け止め爪５２１と取り付け片４７との掛け止め、及び掛け止め爪５１２，５２２と基板４６との掛け止めを行なう前の状態を示す。第１の支持体３８に対する第２の支持体３９の止着は、これらの掛け止めを行なった後に、ネジ４１をボス３７１にネジ止めすればよい。
【００３８】
第２の実施形態では以下の効果が得られる。
（２−１）第２の支持体３９は、経線状部３７Ａ及び経線状部３７Ｂに生じた取り付け用開口４０のカット縁４０１〔図５及び図８（ａ）に図示〕を前側から見えないように隠している。取り付け用開口４０のカット縁４０１の視認によるラジエータグリル３５の意匠性の低下は、第２の支持体３９の存在によって回避される。
【００３９】
ラジエータグリル３５の意匠性の低下回避に寄与する第２の支持体３９は、第１の支持体３８の背面側から第２の支持体３９に螺着されたネジ４２，４３の締め付けによって第１の支持体３８に止着されている。第１の支持体３８に第２の支持体３９を止着するためのネジ止め機構（ネジ４２，４３及びボス５７，５８）は、ラジエータグリル３５の背面側に隠れるので、第１の支持体３８に第２の支持体３９を止着するためのネジ止め機構がラジエータグリル３５の意匠性を損ねることはない。
【００４０】
又、第２の支持体３９は、掛け止め爪と掛け止め孔とから構成される掛け止め機構によって、第１の支持体３８に連結されている。これらの掛け止め機構は、ラジエータグリル３５の前側からは見えにくいので、第１の支持体３８に第２の支持体３９を連結するための掛け止め機構がラジエータグリル３５の意匠性を損ねることはない。
【００４１】
しかも、第１の支持体３８と第２の支持体３９とは、経線状部３７Ａ，３７Ｂを挟み込んでいるので、第１の支持体３８及び第２の支持体３９が経線状部３７Ａ，３７Ｂに安定した状態で固定されることになる。そのため、第１の支持体３８及び第２の支持体３９をラジエータグリル３５に固定するためのネジ止め機構の採用数が少なくて済む。ネジ止め機構の採用数の低減は、ラジエータグリル３５における意匠性低下の回避に有利である。
【００４２】
（２−２）第１の実施形態における（１−２）項と同様の効果が得られる。
本発明では以下のような実施形態も可能である。
（１）第１及び第２の実施形態において、第１の支持体１５，３８と第２の支持体１６，３９とを連結するための掛け止め機構の代わりに、ネジ止め機構を用いてもよい。
【００４３】
（２）第１及び第２の実施形態における第２の支持体１６，３９をラジエータグリル１１，３５の背面側でラジエータグリル１１，３５にネジ止めし、第２の支持体１６，３９に第１の支持体１５，３８を止着するようにしてもよい。この場合、第２の支持体１６，３９がグリル構造体に止着される第１の支持体となる。
【００４４】
（３）第１，２の実施形態において、補助板１０，４４を用いないで、第１の支持体と第２の支持体とによってカメラ１４を挟み込みで固定するようにしてもよい。
（４）第１の支持体とラジエータグリルとの間にカメラ１４を挟み込みで固定するようにしたり、第２の支持体とラジエータグリルとの間にカメラ１４を挟み込みで固定するようにしたりしてもよい。
【００４５】
（５）第１の支持体及び第２の支持体を金属製としてもよい。
（６）ラジエータグリル以外の車両用グリル構造体（例えば、グリル構造のバンパー、ラジエータグリルとバンパーとの一体型グリル構造体）に本発明を適用してもよい。
【００４６】
（７）グリル構造体に設けた取り付け用開口のカット縁を被覆するための被覆体を別体として第２の支持体に設けてもよい。
（８）グリル構造体にネジ止めされる取り付け体（取り付け片２８，４７に相当）を別体として第１の支持体に設けてもよい。
【００４７】
（９）第１，２の実施形態において、掛け止め爪３０１，３０２若しくは５１１，５２２を、組立作業性向上を目的とする仮固定用の爪としてもよい。この場合、治具等を用いて支持体をグリル構造体に仮固定し、ネジ１９若しくは４２，４３で締結することにより、支持体の固定に全く寄与しない上記掛け止め爪３０１，３０２若しくは５１２，５２２を支持体に設けなくてもよい構造となる。なお、支持体に仮固定用の爪がなくても、グリル構造体にそのまま容易に組み付け可能であれば、上記の仮固定用の爪を省略してもよい。
（１０）第１，２の実施形態において、掛け止め爪をグリル構造体への固定用としてもよく、また、ネジ１９若しくはネジ４２，４３を省略してもよい。
【００４８】
前記した実施形態から把握できる技術的思想について以下に記載する。
〔１〕前記第１の支持体及び第２の支持体は、前記グリル構造体に対して不動状態に取り付けられている請求項１乃至請求項４のいずれか１項に記載の車両におけるカメラ取り付け構造。
【図面の簡単な説明】
【００４９】
【図１】第１の実施形態を示し、（ａ）は、ラジエータグリルの正面図。（ｂ）は、要部斜視図。（ｃ）は、要部拡大斜視図。
【図２】要部分解斜視図。
【図３】（ａ）は、要部平断面図。（ｂ）は、要部分解平断面図。
【図４】（ａ）は、図３（ａ）のＡ−Ａ線断面図。（ｂ）は、図３（ａ）のＢ−Ｂ図。（ｃ）は、図３（ａ）のＣ−Ｃ線断面図。
【図５】第２実施形態を示すラジエータグリルの正面図。
【図６】要部分解斜視図。
【図７】（ａ）は、要部平断面図。（ｂ）は、要部平断面図。（ｃ）は、要部分解平断面図。
【図８】（ａ）は、図７（ａ）のＤ−Ｄ線断面図。（ｂ）は、図７（ａ）のＥ−Ｅ図。（ｃ）、図７（ａ）のＦ−Ｆ線断面図。
【符号の説明】
【００５０】
１１，３５…グリル構造体としてのラジエータグリル。１４…カメラ。１５，３８…第１の支持体。１６，３９…第２の支持体。１７，１８…ラジエータグリル１１に第１の支持体１５をネジ止めするためのネジ。１９…第１の支持体１５に第２の支持体１６をネジ止めするためのネジ。２０，４０…取り付け用開口。２０１，４０１…カット縁。３０１，３０２，３２１，３３１…掛け止め機構を構成する掛け止め爪。２４１，２５１，２６，２７…掛け止め機構を構成する掛け止め孔。４１…ラジエータグリル３５に第１の支持体３８をネジ止めするためのネジ。４２，４３…第１の支持体３８に第２の支持体３９をネジ止めするためのネジ。４６１，４６２，４７２，４８１…掛け止め機構を構成する掛け止め孔。５１１，５１２，５２１，５２２…掛け止め機構を構成する掛け止め爪。
【図１】
2005271715.tif 000003
【図２】
2005271715.tif 000004
【図３】
2005271715.tif 000005
【図４】
2005271715.tif 000006
【図５】
2005271715.tif 000007
【図６】
2005271715.tif 000008
【図７】
2005271715.tif 000009
【図８】
2005271715.tif 000010